(57)【要約】【課題】単純な機構と簡単な操作でセルユニットの位置精度と密着度を実現するセルユニットホルダを提供する。【解決手段】セルユニットの底面に当接して該セルユニットの上下位置を定位する第１の固定面と、前記セルユニットの背面に当接して該セルユニットの前後位置を定位する第２の固定面を有し、前記セルユニットを前記第１および第２の固定面に密接させるための圧接手段を備えたことを特徴とする。軸４に取り付けられたローラー２を、レバー３を用いて回転させると、ローラー２の外周は傾斜面９に押圧されて、セルユニット１を図２（ｂ）に示す矢印の方向に押圧する。この矢印の方向の力は、底面７に垂直な力と、背面８に垂直な力に分力され、これらによってセルユニット１は、図２（ｂ）の下方と右方に緊密に圧接される。【選択図】          図１
2010261878.tif 000002
【特許請求の範囲】
【請求項１】
セルユニットの底面に当接して該セルユニットの上下位置を定位する第１の固定面と、前記セルユニットの背面に当接して該セルユニットの前後位置を定位する第２の固定面を有し、前記セルユニットを前記第１および第２の固定面に密接させるための圧接手段を備えたことを特徴とするセルユニットホルダ。
【請求項２】
第１および第２の固定面に対する圧接が１個の圧接手段により同時に遂行されることを特徴とする請求項１記載のセルユニットホルダ。
【請求項３】
圧接手段が軸に取り付けられたカムと、このカムを前記軸を中心に回転させる回転手段によって構成されたことを特徴とする請求項１記載のセルユニットホルダ。
【請求項４】
セルユニットホルダの底部に熱源と温度コントローラが設置されていることを特徴とする請求項１記載のセルユニットホルダ。
【発明の詳細な説明】
【技術分野】
【０００１】
本発明は、各種の定性・定量分析に用いる吸光分光光度計あるいは分光蛍光光度計において、液体試料を収容するセルユニットを光路上に保持するセルユニットホルダに関する。
【背景技術】
【０００２】
分光光度計で液体試料を測定する場合等では試料測定用セルを用いて測定することが行われる。この場合にセルはセルユニットに着脱自在に保持され、さらにこのセルユニットがセルユニットホルダに保持されることによって、セルが正確に測定光路に設置される。セルユニットおよびセルユニットホルダは目的に応じて種々の形のものが提案されている（たとえば特許文献１、特許文献２参照）。
【０００３】
図４に従来一般に用いられているセルユニットホルダの例を示す。この例では液体試料を測定する際に最も広く使用される１０ｍｍ角形セル１０がセルホルダ１１内に挿入されており、セルホルダ１１の側面には測定光束が通る窓１２が設けられている。セルホルダ１１は底板１３に一体的に取り付けられており、底板１３には長穴１４とピン穴１５が貫通している。角形セル１０とセルホルダ１１と底板１３によって、セルユニットが形成される。
【０００４】
セルユニットホルダとして、２個のピン１９とネジ穴１８が設けられた基台１７が分光光度計本体上に備えられている。底板１３の長穴１４とピン穴１５に基台１７上の２個のピン１９が嵌入するように上部からセルホルダ１１と底板１３が基台１７上に設置される。留めネジ１６を基台１７上のネジ穴１８に締め込むことによって、角形セル１０が光路上に正確に設置される。
【先行技術文献】
【特許文献】
【０００５】
【特許文献１】特開２０００−１２１５４６号公報
【特許文献１】特開２００１−２４２０６８号公報
【発明の概要】
【発明が解決しようとする課題】
【０００６】
しかしながら、上述の従来技術には次のような問題がある。セルユニットをセルユニットホルダに設置する際に、ピン１９をピン穴１５と長穴１４に嵌め込み、さらに留めネジ１６をネジ穴１８に締め込む作業は、煩雑で手数と熟練を要する。またピン１９とピン穴１５および長穴１４による固定方法は、位置の誤差を生じ易い。
【０００７】
さらに、底板１３を基台１７上に留めネジ１６を貫通させて固定しているため、十分な圧力が底板１３の下面と基台１７上面との間に生じていない危険性がある。このことは、セルおよびセルホルダ１１の上下方向の位置精度が確保されない問題を生じる。
【０００８】
また、留めネジ１６の締め付けのみでは底板１３の下面と基台１７の上面の密着度を高くすることはできない。このことは、セルユニットホルダ側に設けられた熱源あるいはヒートシンクによってセル内の液体試料の温度を制御する必要がある場合には、大きな障害となる。
【課題を解決するための手段】
【０００９】
上記課題を解決するために本発明のセルユニットホルダは、セルユニットの底面に当接して該セルユニットの上下位置を定位する第１の固定面と、前記セルユニットの背面に当接して該セルユニットの前後位置を定位する第２の固定面を有し、前記セルユニットを前記第１および第２の固定面に密接させるための圧接手段を備えたことを特徴とする。また、より具体的には、その圧接手段は軸に取り付けられたカムと、このカムを前記軸を中心に回転させる回転駆動手段によって構成されたことを特徴とする。
【発明の効果】
【００１０】
比較的単純な構造によって、容易にセルユニットの複数の面をセルユニットホルダの面に強く圧接することができ、安定したセルの位置精度の確保と、接触面の密着度の向上により、安定で迅速な熱伝導が保証される。以上により分光光度計の測定精度を向上できる。
【図面の簡単な説明】
【００１１】
【図１】本発明にかかるセルユニットホルダの俯瞰図である。
【図２】本発明にかかるセルユニットホルダの正面図である。
【図３】ローラーの変形例を示す図である。
【図４】従来のセルユニットホルダの概念図である。
【発明を実施するための形態】
【００１２】
本発明は、１個の圧接手段でセルユニットの２面をセルユニットホルダの２面に同時に強く押し当てて、位置決めと密着性を得るものであり、セルユニットに設けられた傾斜面に対して垂直な圧力を加えて、この圧力でセルユニットの水平な底面と垂直な背面を同時にセルユニットホルダの底面と背面の２面に押圧する構造である。
【実施例】
【００１３】
以下本発明の実施例を図１および図２に従って説明する。図１は本実施例のセルユニットホルダの外観図であり、図２は図１のセルユニットホルダ６を右側方より見た図である。
【００１４】
セルユニット１がセルユニットホルダ６に搭載されている。本実施例のセルユニット１は、内部に液体試料を外部から注入して測定するフローセルを対象としている。セルユニット１の側面には測定光が入射するための窓５が設けられている。図には見えないが、窓５の面に対向する他方の面には、測定光が出射する窓がある。
【００１５】
セルユニットホルダ６にはガイドレール２０が設けられており、セルユニット１をセルユニットホルダ６に搭載する時は、ガイドレール２０がセルユニット１底部の溝に嵌る位置に設置する。また、セルユニット１には、その底面および背面に対して傾いた角度で傾斜面９が形成されている。
【００１６】
セルユニットホルダ６の上部には一部分切り込みがあり、この部分に橋架する軸４が取り付けられている。この軸４には、カム（具体的には偏心したローラー２）と、これと同心の円筒２１と、円筒２１に取り付けられたレバー３が嵌め込まれている。軸４はローラー２と円筒２１の中心から外れた位置でこれらを貫通している。
【００１７】
セルユニット１をセルユニットホルダ６上に置いた直後のセルユニット１とローラー２およびレバー３の位置関係は、図２の（ａ）に示したとおりである。レバー３は鉛直上方の位置にあり、ローラー２の中心は軸４の左上方に位置しており、ローラー２の外周はまだセルユニット１の傾斜面９に接触していない。つまり、セルユニット１はその重力以外の力は加えられていない。この状態ではまだ、セルユニットホルダ６とセルユニット１の位置（窓５の位置）は正確な測定が行われる状態ではない。
【００１８】
次に、レバー３を矢印の方向に回転させる。その後のセルユニット１とローラー２およびレバー３の位置関係を図２の（ｂ）に示す。レバー３を鉛直下方にまで回転させると、ローラー２の中心は軸４の右下方に位置し、この時ローラー２の外周は傾斜面９に押圧されて、セルユニット１が図２（ｂ）に示す矢印の方向に押圧される。この矢印の方向の力は、底面７に垂直な力と、背面８に垂直な力に分力され、これらによってセルユニット１は、図２（ｂ）の下方と右方に強く圧接される。こうしてセルユニット１はセルユニットホルダ６の上で正確に位置決めされ、測定光束は正しく窓５に入射して、信頼性の高い測定が可能となる。
【００１９】
さらに、本実施例では、図１に示すとおりセルユニットホルダ６の底部に熱源Ｔと温度コントローラＣが組み込まれており、底面７を介してセルユニット１内の液体試料の温度を制御している。前記の構造によって底面７のセルユニットホルダ６への密着性が高くなっているため、底面７を通しての熱伝導の効率が向上し、正確で効率的な温度コントロールが可能となる。なお、Ｓは温度コントローラＣの設定温度を調節するためのつまみである。
【００２０】
ローラー２、軸４および傾斜面９の材料の剛性が大きい場合には、ローラー２が傾斜面９に接触した状態でその位置を保持し続けることが困難な場合が予想される。これを解決する方法として、軸４を弾性のある材料で製作し、ローラー２が傾斜面９に乗り上げた時に軸４がわずかに撓むことによって、ローラー２を傾斜面９上に保持する方法、または、ローラー２の外周部を硬質ゴムあるいはこれに類する弾性材料で製作する方法などが考えられる。
【００２１】
また、ローラー２が傾斜面９の上で保持されやすくするためには、図３に拡大して示したように、ローラー２の外周円の一部分（図３のＡの部分）を平坦に削り、レバー３によってローラー２が軸４を中心に回転し傾斜面９に乗り上げた時、この平坦な部分でローラー２を停止させる方法も有効である。
【符号の説明】
【００２２】
１  セルユニット
２  ローラー
３  レバー
４  軸
５  窓
６  セルユニットホルダ
７  底面
８  背面
９  傾斜面
１０  角形セル
１１  セルホルダ
１２  窓
１３  底板
１４  長穴
１５  ピン穴
１６  留めネジ
１７  基台
１８  ネジ穴
１９  ピン
２０  ガイドレール
２１  円筒
Ｔ  熱源
Ｃ  温度コントローラ
Ｓ  つまみ
【図１】
2010261878.tif 000003
【図２】
2010261878.tif 000004
【図３】
2010261878.tif 000005
【図４】
2010261878.tif 000006